(57)【要約】【課題】コネクタモジュールを容易に取り付けまたは取り外しすることができる技術を提供すること。【解決手段】筐体本体１１０は、光モジュール挿入口１２１（挿入口）を有する光モジュール１２０（コネクタモジュール）を収容する。また、筐体本体１１０は、光モジュール挿入口１２１の大きさに対応する開口部１１３を前面に有する。上フロントパネル１１１は、筐体本体１１０に開閉可能に取り付けられている。また、上フロントパネル１１１は、開いたときに光モジュール１２０を取り付けまたは取り外しできるように筐体本体１１０の前面の一部を開放する。脱落防止ブロック１２４は、上フロントパネル１１１を閉じたときに光モジュール１２０が開口部１１３から取り外されないために設けられている。【選択図】      図１
2015118768.tif 000002
【特許請求の範囲】
【請求項１】
挿入口を有するコネクタモジュールを収容し、前記挿入口の大きさに対応する開口部を前面に有する筐体本体と、
前記筐体本体に開閉可能に取り付けられ、開いたときに前記コネクタモジュールを取り付けまたは取り外しできるように前記筐体本体の前面の一部を開放する開閉扉と、
前記開閉扉を閉じたときに前記コネクタモジュールが前記開口部から取り外されないために設けられた脱落防止部とを備えた電子装置。
【請求項２】
前記脱落防止部は、前記コネクタモジュールの側面から突出するように前記コネクタモジュールの側面に形成されたブロックであり、前記開閉扉を閉じたときに前記開閉扉に当接する請求項１に記載の電子装置。
【請求項３】
前記脱落防止部は、前記コネクタモジュールの側面から突出するように前記コネクタモジュールの側面に取り付けられた弾性部材であり、前記開閉扉を閉じたときに前記開閉扉に当接する請求項１に記載の電子装置。
【請求項４】
前記コネクタモジュールの大きさは、前記開口部を貫通しない大きさである請求項１〜３のいずれか１項に記載の電子装置。
【請求項５】
前記コネクタモジュール上に設けられ、前記コネクタモジュールの熱を放熱する放熱部を備えた請求項１〜４のいずれか１項に記載の電子装置。
【発明の詳細な説明】
【技術分野】
【０００１】
本発明は、電子装置に関し、例えば、挿入口を有するコネクタモジュールを収容するものに関する。
【背景技術】
【０００２】
近年、スマートフォンのような情報携帯端末が広く普及してきている。これに伴って、通信容量も増大してきている。また、スイッチやルータ等の光通信装置の需要も増加してきている。このような光通信装置には、様々なビットレートや波長に対応する光モジュール（光トランシーバ）が搭載される。このため、当該光モジュールは、活線が挿抜可能である必要がある。
【０００３】
このような光モジュールの一例として、プラガブル光モジュールが広く知られている。プラガブル光モジュールは、ＳＦＰやＸＦＰ等の活線が挿抜可能に形成されている。また、プラガブル光モジュールの外形は、ＭＳＡ（Multiple Source Agreement：マルチソースアグリーメント）によって規定されている。
【０００４】
通常、プラガブル光モジュールは、光通信装置内に搭載されている専用の金属ゲージに挿入または抜去できるように、構成されている。このような構成例について、一般的な光通信装置として、図を用いて説明する。
【０００５】
図８は、一般的な光通信装置の外観の構成を示す斜視図である。図９は、一般的な光通信装置を光モジュール付近で切断した切断面を示す断面図である。図１０は、一般的な光通信装置のうちで、光モジュールの上面側を透過した拡大上面図である。
【０００６】
図８に示されるように、光通信装置９００の筐体本体９１０の前面には、フロントパネル９１１が設けられている。フロントパネル９１１には、複数の開口部９１３が形成されている。光モジュール９２０は、筐体本体９１０内に収容されている。このとき、光モジュール９２０の光モジュール挿入口９２１は、筐体本体９１０の前面から露出するように、配置されている。
【０００７】
光ファイバーケーブルユニット６２０は、光ファイバー側コネクタ６２１と、光ファイバー６２２を有する。光ファイバー側コネクタ６２１は、光ファイバー６２２の一端部に接続するように設けられている。そして、光ファイバー側コネクタ６２１は、光モジュール挿入口９２１に挿入される。これにより、光ファイバーケーブルユニット６２０と、光モジュール９２０とが、互いに接続される。
【０００８】
図９および図１０に示されるように、フロントパネル９１１は、筐体本体９１０に固定されている。筐体本体９１０内には、主基板９３０が搭載されている。また、金属ゲージ９５０が主基板９３０上に実装されている。光モジュール９２０は、図９の矢印Ａおよび図１０の矢印Ｂの方向に沿って、金属ゲージ９５０に挿入される。
【０００９】
また、ラッチ用突起部９２８が、光モジュール９２０の下面に突出するように設けられている。金属ゲージ９５０には、ラッチ用突起部９２８に対応する開口孔（不図示）が形成されている。そして、光モジュール９２０を、図９の矢印Ａおよび図１０の矢印Ｂの方向に沿って、金属ゲージ９５０に挿入すると、ラッチ用突起部９２８が金属ゲージ９５０の開口孔と嵌り合う。これにより、光モジュール９２０が金属ゲージ９５０に固定される。
【００１０】
一方、光モジュール９２０を金属ゲージ９５０から抜き出す際には、光モジュール９２０に設けられたラッチ解除機構（不図示）を用いて、ラッチ用突起部９２８を金属ゲージ９５０の開口孔から外す。
【００１１】
なお、本件発明の参考技術として、特許文献１および特許文献２に記載の技術が知られている。
【先行技術文献】
【特許文献】
【００１２】
【特許文献１】特開２０１２−１７５４５９号公報
【特許文献２】特開２００９−１６４３３８号公報
【発明の概要】
【発明が解決しようとする課題】
【００１３】
しかしながら、図９〜図１０を用いて説明した一般的な光通信装置９００では、光モジュール９２０は、ラッチ用突起部９２８および金属ゲージ９５０の開口孔の嵌合によって、主基板９３０上の金属ゲージ９５０に固定されていた。また、光モジュール９２０を金属ゲージ９５０から抜き出す際には、専用のラッチ解除機構を用いて、ラッチ用突起部９２８を金属ゲージ９５０の開口孔から外す必要があった。また、ラッチ用突起部９２８および金属ゲージ９５０の開口孔の嵌合や解除には、強い力が必要であった。
【００１４】
このように、一般的な光通信装置９００では、光モジュール９２０のラッチ用突起部９２８および金属ゲージ９５０の開口孔の嵌合や解除に、大きな力を必要とする等、複雑な作業を要するという問題があった。
【００１５】
本発明は、このような事情を鑑みてなされたものであり、本発明の目的は、コネクタモジュールを容易に取り付けまたは取り外しすることができる電子装置を提供することにある。
【課題を解決するための手段】
【００１６】
本発明の電子装置は、挿入口を有するコネクタモジュールを収容し、前記挿入口の大きさに対応する開口部を前面に有する筐体本体と、前記筐体本体に開閉可能に取り付けられ、開いたときに前記コネクタモジュールを取り付けまたは取り外しできるように前記筐体本体の前面の一部を開放する開閉扉と、前記開閉扉を閉じたときに前記コネクタモジュールが前記開口部から取り外されないために設けられた脱落防止部とを備えている。
【発明の効果】
【００１７】
本発明にかかる電子装置によれば、コネクタモジュールを容易に取り付けまたは取り外しすることができる。
【図面の簡単な説明】
【００１８】
【図１】本発明の第１の実施の形態における光通信装置を光モジュール付近で切断した切断面を示す断面図である。
【図２】本発明の第１の実施の形態における光通信装置のうちで、光モジュールの上面側を透過した拡大上面図である。
【図３】本発明の第１の実施の形態における光通信装置の前面側の外観構成を示す平面図である。
【図４】本発明の第２の実施の形態における光通信装置を光モジュール付近で切断した切断面を示す断面図である。
【図５】本発明の第２の実施の形態における光通信装置のうちで、光モジュールの上面側を透過した拡大上面図である。
【図６】本発明の第３の実施の形態における光通信装置を光モジュール付近で切断した切断面を示す断面図である。
【図７】本発明の第４の実施の形態における光通信装置を光モジュール付近で切断した切断面を示す断面図である。
【図８】一般的な光通信装置の外観の構成を示す斜視図である。
【図９】一般的な光通信装置を光モジュール付近で切断した切断面を示す断面図である。
【図１０】一般的な光通信装置のうちで、光モジュールの上面側を透過した拡大上面図である。
【発明を実施するための形態】
【００１９】
＜第１の実施の形態＞
本発明の第１の実施の形態における光通信装置１００の構成について説明する。
【００２０】
図１は、光通信装置１００を光モジュール付近で切断した切断面を示す断面図である。図２は、光通信装置１００のうちで、光モジュール１２０の上面側を透過した拡大上面図である。図３は、光通信装置１００の前面側の外観構成を示す平面図である。
【００２１】
図１〜図３に示されるように、光通信装置１００は、筐体本体１１０と、光モジュール１２０と、主基板１３０とを備えている。なお、光通信装置１００は、本発明の電子装置に対応する。
【００２２】
筐体本体１１０は、光モジュール１２０を収容する。筐体本体１１０は、図８で示した筐体本体９１０と同様に、例えば、直方体形状に形成されている。筐体本体１１０の材料には、放熱効率の高い材料として、例えば、アルミニウム合金等が用いられている。
【００２３】
また、筐体本体１１０は、上フロントパネル１１１と、下フロントパネル１１２と、開口部１１３とを備えている。
【００２４】
図１および図２に示されるように、上フロントパネル１１１および下フロントパネル１１２は、筐体本体１１０の前面に設けられている。上フロントパネル１１１および下フロントパネル１１２の材料には、放熱効率の高い材料として、例えば、アルミニウム合金等が用いられている。
【００２５】
上フロントパネル１１１は、図１および図２に示されるように、筐体本体１１０に開閉可能に取り付けられている。上フロントパネル１１１は、閉じられているとき、筐体本体１１０の前面の上側を被覆する。上フロントパネル１１１は、当該上フロントパネル１１１を開いたとき、筐体本体１１０の前面の一部を開放して、筐体本体１１０の内部に収容されている光モジュール１２０を取り付けまたは取り外しできるように、設けられている。
【００２６】
図１および図２に示す例では、上フロントパネル１１１が閉じられているとき、上フロントパネル１１１は、筐体本体１１０の前面のうち、光モジュール１２０の底面（図１では光モジュール１２０の下側の面）よりも上側の領域を被覆する。図１に示されるように、上フロントパネル１１１は、上フロントパネル回転機構１１４によって、回転可能に筐体本体１１０に保持されている。上フロントパネル回転機構１１４は、例えばヒンジ構造である。なお、上フロントパネル１１１は、本発明の開閉扉に対応する。
【００２７】
下フロントパネル１１２は、図１および図２に示されるように、筐体本体１１０に固定されている。すなわち、下フロントパネル１１２は、上フロントパネル１１１と異なり、開閉しない。図１および図２に示す例では、下フロントパネル１１１は、筐体本体１１０の前面のうち、光モジュール１２０の底面（図１では光モジュール１２０の下側の面）よりも下側の領域を被覆する。
【００２８】
図１〜図３に示されように、複数の開口部１１３は、筐体本体１１０の前面に形成されている。開口部１１３は、筐体本体１１０に収容される光モジュール１２０の搭載位置に対応する位置に、設けられている。開口部１１３は、光モジュール１２０の光モジュール挿入口１２１（図１および図２では、光モジュール１２０の紙面左端部側）の大きさに対応した大きさに形成されている。図１および図３に示されるように、複数の開口部１１３を形成することによって、上フロントパネル１１１の下側端部は、櫛形の構造となっている。
【００２９】
光モジュール１２０は、ＭＳＡにより規定された構造を有している。光モジュール１２０は、主基板１３０に対して、着脱可能に取り付けられる。光モジュール１２０は、本発明のコネクタモジュールに対応する。なお、光モジュール１２０は、例えば、プラガブル光モジュールである。また、本発明では、光モジュール１２０に代えて、電気モジュールを用いてもよい。電気モジュールは、相手側の電気モジュールと嵌合することで電気を通電することができるコネクタの一例である。
【００３０】
光モジュール１２０は、光モジュール挿入口１２１と、光モジュール収容基板１２２と、脱落防止ブロック１２４とを備えている。
【００３１】
図１〜図３に示されるように、光モジュール挿入口１２１は、光モジュールの一端部に設けられている。この光モジュール挿入口１２１には、図８に示した構成と同様に、光ファイバーケーブルユニット６２０の光ファイバー側コネクタ６２１が挿入される。これにより、光ファイバーケーブルユニット６２０と、光モジュール１２０とが、互いに接続される。なお、光モジュール挿入口１２１は、本発明の挿入口に対応する。
【００３２】
図１および図２に示されるように、光モジュール収容基板１２２は、光モジュール１２０の筐体内に収容されている。この光モジュール収容基板１２２上には、複数の電子部品（例えば、トランジスタ、抵抗、コイル等）が実装されている。この光モジュール収容基板１２２は、主基板１３０上に実装されている電気コネクタ１４０に嵌合する。光モジュール収容基板１２２の材料には、例えば、ガラスエポシキ樹脂が用いられている。
【００３３】
図１および図２に示されるように、脱落防止ブロック１２４は、光モジュール１２０の両側面から突出するように、当該光モジュール１２０の側面に形成されたブロックである。脱落防止ブロック１２４は、上フロントパネル１１１を閉じたときに光モジュール１２０が開口部１１３から取り外されないために設けられている。すなわち、上フロントパネル１１１が閉じられているとき、脱落防止ブロック１２４と上フロントパネル１１１の内面（主基板側の面）とが、互いに当接する。これにより、上フロントパネル１１１が閉じられているときには、光モジュール１２０を開口部１１３から取り外すことができない。脱落防止ブロック１２４は、本発明の脱落防止部に対応する。
【００３４】
図１および図２に示されるように、主基板１３０は、光通信装置１００の筐体本体１１０内に収容されている。主基板１３０は、板状に形成されている。主基板１３０の材料には、例えば、ガラスエポシキ樹脂が用いられている。なお、主基板１３０は、メインボードとも呼ばれる。主基板１３０上には、電気コネクタ１４０が実装されている。また、光モジュール１２０が、主基板１３０上に取り付けられる。
【００３５】
図１および図２に示されるように、電気コネクタ１４０は、主基板１３０上に実装されている。電気コネクタ１４０には、光モジュール収容基板１２２の一端部が挿入される。これにより、電気コネクタ１４０と光モジュール収容基板１２２とが電気的に接続される。
【００３６】
以上、光通信装置１００の構成について説明した。
【００３７】
次に、光モジュール１２０の取り付け方法について説明する。
【００３８】
まず、図１に示される矢印に沿って、上フロントパネル開閉機構１１４を中心に上フロントパネル１１１を回転させる。これにより、光通信装置１００の筐体本体１１０の上部が開放される。
【００３９】
次に、光モジュール１２０を主基板１３０の面に沿って電気コネクタ１４０へ向けてスライドさせながら主基板１３０上に取り付ける。
【００４０】
そして、光モジュール１２０の光モジュール収容基板１２２の一端部を、電気コネクタ１４に挿入する。これにより、光モジュール１２０の光モジュール収容基板１２２と電気コネクタ１４が互いに嵌合される。これにより、電気コネクタ１４０と光モジュール収容基板１２２とが電気的に接続される。
【００４１】
次に、図１に示される矢印の逆方向に沿って、上フロントパネル開閉機構１１４を中心に上フロントパネル１１１を回転させて、閉じる。これにより、光通信装置１００の筐体本体１１０の上部が被覆される。一方、このとき、図１および図２に示されるように、光モジュール１２０の光モジュール挿入口１２１は、筐体本体１１０の前面から突出して露出するように、配置される。上フロントパネル１１１が閉じられると、脱落防止ブロック１２４と上フロントパネル１１１の内面（主基板側の面）とが、互いに当接する。したがって、光モジュール１２０の側面に形成された脱落防止ブロック１２４が、上フロントパネル１１１の内面（主基板側の面）に押さえられる。これにより、上フロントパネル１１１が閉じられているときには、光モジュール１２０を開口部１１３から取り外すことができない。
【００４２】
次に、光モジュール１２０の取り外し方法について説明する。
【００４３】
まず、図１に示される矢印に沿って、上フロントパネル開閉機構１１４を中心に上フロントパネル１１１を回転させる。これにより、光通信装置１００の筐体本体１１０の上部が開放される。
【００４４】
次に、光モジュール１２０を主基板１３０の面に沿って筐体本体１１０の外方へ向けてスライドさせながら主基板１３０上から取り外す。このとき、光モジュール１２０の光モジュール収容基板１２２と電気コネクタ１４の嵌合を解除させる。これにより、電気コネクタ１４０と光モジュール収容基板１２２とが電気的に切断される。
【００４５】
次に、図１に示される矢印の逆方向に沿って、上フロントパネル開閉機構１１４を中心に上フロントパネル１１１を回転させる。これにより、光通信装置１００の筐体本体１１０の上部が被覆される。
【００４６】
以上の通り、本発明の第１の実施の形態における光通信装置１００（電子装置）は、筐体本体１１０と、上フロントパネル１１１（開閉扉）と、脱落防止ブロック１２４（脱落防止部）とを備えている。筐体本体１１０は、光モジュール挿入口１２１（挿入口）を有する光モジュール１２０（コネクタモジュール）を収容する。また、筐体本体１１０は、光モジュール挿入口１２１の大きさに対応する開口部１１３を前面に有する。上フロントパネル１１１は、筐体本体１１０に開閉可能に取り付けられている。また、上フロントパネル１１１は、開いたときに光モジュール１２０を取り付けまたは取り外しできるように筐体本体１１０の前面の一部を開放する。脱落防止ブロック１２４は、上フロントパネル１１１を閉じたときに光モジュール１２０が開口部１１３から取り外されないために設けられている。
【００４７】
このように、光通信装置１００では、上フロントパネル１１１が、筐体本体１１０に開閉可能に取り付けられている。また、上フロントパネル１１１を開いたときに、光モジュール１２０を取り付けまたは取り外しできるように、筐体本体１１０の前面の一部を開放される。すなわち、光モジュール１２０を取り付けまたは取り外しの際に上フロントパネル１１１を開いたとき、筐体本体１１０の前面の一部が光モジュール１２０を取り付けまたは取り外しできるように開放される。このため、光通信装置１００によれば、コネクタモジュールを容易に取り付けまたは取り外しすることができる。
【００４８】
一般的な光通信装置９００では、光モジュール９２０のラッチ用突起部９２８および金属ゲージ９５０の開口孔の嵌合や解除に、大きな力を必要とする等、複雑な作業を要していた。しかしながら、本発明の光通信装置１００のように、筐体本体１１０に開閉可能に取り付けられた上フロントパネル１１１を設けることで、大きな力を必要とすることなく、複雑な作業もすることなく、コネクタモジュールを容易に取り付けまたは取り外しすることができる。
【００４９】
また、光通信装置１００では、脱落防止ブロック１２４が、上フロントパネル１１１を閉じたときに光モジュール１２０が開口部１１３から取り外されないために設けられている。このため、実際に光モジュール１２０を使用している間は、光モジュール１２０が筐体本体１１０の開口部１１３から抜け落ちたりすることを防止できる。
【００５０】
また、本発明の第１の実施の形態における光通信装置１００（電子装置）では、脱落防止ブロック１２４（脱落防止部）は、光モジュール１２０（コネクタモジュール）の側面から突出するように光モジュール１２０の側面に形成されたブロックである。また、脱落防止ブロック１２４は、上フロントパネル１１１（開閉扉）を閉じたときに上フロントパネル１１１に当接する。
【００５１】
このように、光通信装置１００では、脱落防止ブロック１２４が、光モジュール１２０の側面から突出するように光モジュール１２０の側面に形成されている。そして、上フロントパネル１１１を閉じたときに、脱落防止ブロック１２４が上フロントパネル１１１に当接する。このため、実際に光モジュール１２０を使用している間は、光モジュール１２０が筐体本体１１０の開口部１１３から抜け落ちたりすることを、簡単な構成で防止できる。
【００５２】
＜第２の実施の形態＞
本発明の第２の実施の形態における光通信装置１００Ａの構成について説明する。
【００５３】
図４は、光通信装置１００Ａを光モジュール１２０Ａ付近で切断した切断面を示す断面図である。図５は、光通信装置１００Ａのうちで、光モジュール１２０Ａの上面側を透過した拡大上面図である。なお、図４および図５では、図１〜図３に示した各構成要素と同等の構成要素には、図１〜図３に示した符号と同等の符号を付している。
【００５４】
図４および図５に示されるように、光通信装置１００Ａは、筐体本体１１０と、光モジュール１２０Ａと、主基板１３０とを備えている。なお、光通信装置１００Ａは、本発明の電子装置に対応する。光モジュール１２０Ａは、本発明のコネクタモジュールに対応する。
【００５５】
ここで、図１および図２と、図４および図５とを対比する。図１および図２では、脱落防止部の一例として、脱落防止ブロック１２４が、光モジュール１２０の両側面に設けられていた。これに対して、図４および図５では、脱落防止バネ１２５が、脱落防止部の一例として、光モジュール１２０Ａの両側面に設けられている。この点で、両者は互いに相違する。
【００５６】
図４および図５に示されるように、脱落防止バネ１２５は、光モジュール１２０Ａの両側面から突出するように、当該光モジュール１２０の側面に形成された弾性部材である。なお、脱落防止バネ１２５は、本発明の弾性部材に対応する。
【００５７】
脱落防止ブロック１２５は、上フロントパネル１１１を閉じたときに光モジュール１２０Ａが開口部１１３から取り外されないために設けられている。すなわち、上フロントパネル１１１が閉じられているとき、脱落防止バネ１２５と上フロントパネル１１１の内面（主基板側の面）とが、互いに当接する。これにより、上フロントパネル１１１が閉じられているときには、光モジュール１２０Ａを開口部１１３から取り外すことができない。
【００５８】
以上、光通信装置１００Ａの構成を説明した。
【００５９】
次に、光モジュール１２０Ａの取り付け方法について説明する。
【００６０】
第１の実施の形態の説明と同様に、上フロントパネル１１１を開いてから、光モジュール１２０Ａを主基板１３０上に取り付けて、光モジュール１２０の光モジュール収容基板１２２と電気コネクタ１４０を互いに嵌合させることができる。この後、第１の実施の形態の説明と同様に、上フロントパネル１１１を閉じて、脱落防止バネ１２５と上フロントパネル１１１の内面（主基板側の面）とを、互いに当接させる。したがって、光モジュール１２０Ａの側面に形成された脱落防止バネ１２５が、上フロントパネル１１１の内面（主基板側の面）に押さえられる。これにより、上フロントパネル１１１が閉じられているときには、光モジュール１２０Ａを開口部１１３から取り外すことができない。
【００６１】
一方、第２の実施の形態では、上フロントパネル１１１の開閉を行わずに、光モジュール１２０Ａを主基板１３０に取り付けることができる。ただし、光モジュール１２０Ａの外形は、開口部１１３の大きさに対応している。
【００６２】
すなわち、上フロントパネル１１１が閉じられた状態で、光モジュール１２０Ａを開口部１１３から挿入する。このとき、光モジュール１２０Ａの側面に設けられた脱落防止バネ１２５は、開口部１１３を通過する際に、当該開口部１１３の内壁に沿って撓む。そして、光モジュール１２０Ａの光モジュール収容基板１２２と電気コネクタ１４を互いに嵌合させる。これにより、電気コネクタ１４０と光モジュール収容基板１２２とが接続される。そして、脱落防止バネ１２５は、開口部１１３を通過した後、撓み状態から解放され、再び元の状態に戻る。このとき、脱落防止バネ１２５と上フロントパネル１１１の内面（主基板側の面）とが、互いに当接する。したがって、光モジュール１２０Ａの側面に形成された脱落防止バネ１２５が、上フロントパネル１１１の内面（主基板側の面）に押さえられる。これにより、上フロントパネル１１１が閉じられているときには、光モジュール１２０Ａを開口部１１３から取り外すことができない。
【００６３】
次に、光モジュール１２０Ａの取り外し方法について説明する。
【００６４】
第１の実施の形態の説明と同様に、上フロントパネル１１１を開いてから、光モジュール１２０Ａを主基板１３０から取り外して、光モジュール１２０の光モジュール収容基板１２２と電気コネクタ１４０の嵌合を解除させることができる。これにより、電気コネクタ１４０と光モジュール収容基板１２２とが電気的に切断される。
【００６５】
一方、第２の実施の形態では、上フロントパネル１１１の開閉を行わずに、光モジュール１２０Ａを主基板１３０から取り外すことができる。ただし、光モジュール１２０Ａの外形は、開口部１１３の大きさに対応している。
【００６６】
すなわち、フロントパネル１１１が閉じられた状態で、光モジュール１２０Ａを開口部１１３から引き出す。このとき、光モジュール１２０Ａの側面に設けられた脱落防止バネ１２５は、開口部１１３を通過する際に、当該開口部１１３の内壁に沿って撓む。脱落防止バネ１２５は、開口部１１３を通過した後、撓み状態から解放され、再び元の状態に戻る。そして、光モジュール１２０Ａの光モジュール収容基板１２２と電気コネクタ１４の嵌合が解放される。これにより、電気コネクタ１４０と光モジュール収容基板１２２の電気的な接続が切断される。
【００６７】
以上の通り、本発明の第２の実施の形態における光通信装置１００Ａ（電子装置）では、脱落防止バネ１２５（脱落防止部）は、光モジュール１２０Ａ（コネクタモジュール）の側面から突出するように光モジュール１２０の側面に取り付けられた弾性部材である。また、脱落防止バネ１２５は、上フロントパネル１１１（開閉扉）を閉じたときに上フロントパネル１１１に当接する。
【００６８】
このように、光通信装置１００Ａでは、脱落防止バネ１２５が、光モジュール１２０の側面から突出するように光モジュール１２０Ａの側面に形成されている。そして、上フロントパネル１１１を閉じたときに、脱落防止バネ１２５が上フロントパネル１１１に当接する。このため、実際に光モジュール１２０Ａを使用している間は、光モジュール１２０Ａが筐体本体１１０の開口部１１３から抜け落ちたりすることを、簡単な構成で防止できる。
【００６９】
また、光モジュール１２０Ａの側面に設けられた脱落防止バネ１２５は、開口部１１３を通過する際に、当該開口部１１３の内壁に沿って撓む。このため、上フロントパネル１１１を閉じたままの状態で、光モジュール１２０Ａを筐体本体１１０の開口部１１３から挿入したり引き出したりすることができる。
【００７０】
＜第３の実施の形態＞
本発明の第３の実施の形態における光通信装置１００Ｂの構成について説明する。
【００７１】
図６は、光通信装置１００Ｂを光モジュール１２０Ｂ付近で切断した切断面を示す断面図である。なお、図６では、図１〜図５に示した各構成要素と同等の構成要素には、図１〜図５に示した符号と同等の符号を付している。
【００７２】
図６に示されるように、光通信装置１００Ｂは、筐体本体１１０と、光モジュール１２０Ｂと、主基板１３０とを備えている。なお、光通信装置１００Ｂは、本発明の電子装置に対応する。光モジュール１２０Ｂは、本発明のコネクタモジュールに対応する。
【００７３】
ここで、図１と、図６とを対比する。図１では、１枚の光モジュール収容基板１２２が光モジュール１２０内に収容されていた。これに対して、図６では、２枚の光モジュール収容基板１２２ａと光モジュール収容基板１２２ｂが光モジュール１２０Ｂ内に収容されている。したがって、光モジュール１２０Ｂは、光モジュール１２０よりも厚く形成されている。この点で、両者は互いに相違する。
【００７４】
図６に示されるように、光モジュール１２０Ｂの大きさは、開口部１１３を貫通しない大きさである。
【００７５】
このような構成であっても、光モジュール１２０Ａを取り付けまたは取り外しの際に上フロントパネル１１１を開いたとき、筐体本体１１０の前面の一部が光モジュール１２０Ａを取り付けまたは取り外しできるように開放される。このため、光通信装置１００によれば、コネクタモジュールを容易に取り付けまたは取り外しすることができる。
【００７６】
＜第４の実施の形態＞
本発明の第４の実施の形態における光通信装置１００Ｃの構成について説明する。
【００７７】
図７は、光通信装置１００Ｃを光モジュール１２０Ｃ付近で切断した切断面を示す断面図である。なお、図７では、図１〜図６に示した各構成要素と同等の構成要素には、図１〜図６に示した符号と同等の符号を付している。
【００７８】
図７に示されるように、光通信装置１００Ｃは、筐体本体１１０と、光モジュール１２０と、主基板１３０とを備えている。なお、光通信装置１００Ｃは、本発明の電子装置に対応する。光モジュール１２０は、本発明のコネクタモジュールに対応する。
【００７９】
ここで、図１と、図７とを対比する。図７では、ヒートシンク１２６が光モジュール１２０上に設けられている点で、図１と相違する。なお、ヒートシンク１２６は、本発明の放熱部に対応する。
【００８０】
図７に示されるように、ヒートシンク１２６は、光モジュール１２０上に設けられている。このヒートシンク１２６は、光モジュール１２０の熱を放熱する。
【００８１】
このような構成であっても、ヒートシンク１２６を搭載した光モジュール１２０を取り付けまたは取り外しの際に上フロントパネル１１１を開いたとき、筐体本体１１０の前面の一部が、ヒートシンク１２６を搭載した光モジュール１２０を取り付けまたは取り外しできるように開放される。このため、光通信装置１００Ｃによれば、コネクタモジュールを容易に取り付けまたは取り外しすることができる。
【００８２】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００８３】
１００、１００Ａ、１００Ｂ、１００Ｃ    光通信装置
１１０    筐体本体
１１１    上フロントパネル
１１２    下フロントパネル
１１３    開口部
１１４    上フロントパネル開閉機構
１２０、１２０Ａ、１２０Ｂ    光モジュール
１２１    光モジュール挿入口
１２２、１２２ａ、１２２ｂ    光モジュール収容基板
１２４    脱落防止ブロック
１２５    脱落防止バネ
１２６    ヒートシンク
１３０    主基板
６２０    光ファイバーケーブルユニット
６２１    光ファイバー側コネクタ
６２２    光ファイバー
９００    光通信装置
９１０    筐体本体
９１１    フロントパネル
９１３    開口部
９２０    光モジュール
９２１    光モジュール挿入口
９２８    ラッチ用突起部
９３０    主基板
９５０    金属ゲージ
【図１】
2015118768.tif 000003
【図２】
2015118768.tif 000004
【図３】
2015118768.tif 000005
【図４】
2015118768.tif 000006
【図５】
2015118768.tif 000007
【図６】
2015118768.tif 000008
【図７】
2015118768.tif 000009
【図８】
2015118768.tif 000010
【図９】
2015118768.tif 000011
【図１０】
2015118768.tif 000012